(57)【特許請求の範囲】
【請求項１】
サービス情報の伝送を含むテレビジョン方式におけるイベント選択方法であって、
イベントを含む第１の一次元の項目リスト（３）を表示する段階を備え、
第１のリスト（３）と並行であり、該イベントに作用することが可能な少なくとも１つの機能を含む第２の一次元の項目リスト（２）を表示する段階と、
第２のリストの一次元に沿って第２のリスト内でカーソルを動かすことにより、複数の機能のうちの１つを選び、第１のリストの一次元に沿って前記第２のリスト内で前記カーソルを動かすことにより、前記イベントのうちの何れか１つを選び、選択された機能は前記カーソルが前記第２のリストから動かされたときも選択されたままであり、選択されたイベントは前記カーソルが前記第１のリストから動かされたときも選択されたままである段階と、
前記選択された機能の起動により、前記選択されたイベントに、前記選択された機能を施す段階とを備えることを特徴とする方法。
【請求項２】
前記第２のリストが、イベントをフィルタリングする機能も含むことを特徴とする請求項１記載の方法。
【請求項３】
グラフィックリンク（８）は、前記第２のリストにおける前記選択された機能と、前記第１のリストの前記選択されたイベントとの間に表示されることを特徴とする請求項１又は２のいずれか1項記載の方法。
【請求項４】
出発リスト（２，又は３）から到着リスト（３，又は２）のカーソルの動きは、出発リストからの最も最近選択されたイベントに対するこのカーソルのデフォルトの位置決めをもたらすことを特徴とする請求項１又は３のいずれか1項記載の方法。
【請求項５】
項目は入力キーによって作動されることを特徴とする請求項１乃至４のいずれか１項記載の方法。
【請求項６】
イベントの作動の段階からなり、この作動は該イベントに対して作用することが可能な機能のメニューの表示をトリガすることを特徴とする請求項５記載の方法。
【請求項７】
イベントに対して作用することが可能な機能は、録画、ディスプレイ補足情報、ターンオン、読み出しリストへの記憶の機能のうちの１つ以上からなることを特徴とする請求項１乃至６のうちいずれか１項記載の方法。
【請求項８】
切り替え型の機能の作動中の状態はイベントの付近のアイコンの表示によって読み出されることを特徴とする請求項７記載の方法。
【請求項９】
切り替え型の機能のスクリーン上に表示されたラベルは、その状態の機能として変化することを特徴とする請求項７又は８のいずれか1項記載の方法。
【請求項１０】
作動中の状態である切り替え型の機能が関連づけられているイベントは、第３のリストに記憶されることを特徴とする請求項１乃至９のうちいずれか１項記載の方法。
【請求項１１】
その包括的名称を除いては、フィルタリング機能の値のみが表示されることを特徴とする請求項１乃至１０のうちいずれか１項記載の方法。
【請求項１２】
サービス情報の伝送を含むテレビジョン方式における受信用の装置であって、
データストリームから、特にイベントに関する情報である、サービス情報を受信する手段（１３乃至１８）と、
イベントを含む第１の一次元の項目リスト（３）と、第１のリスト（３）と並行であり、該イベントに作用することが可能な少なくとも１つの機能を含む、第２の一次元の項目リスト（２）とを含み、番組ガイドを表示する手段（１１，３１）と、
該カーソルを項目の上に配置することによる項目の選択のための単一のカーソルによる制御手段（２９）であって、夫々のリストは単一のいわゆる選択された項目を含む手段と、
選択された項目のシグナリング（８）を表示する手段（１１，３１）であって、該カーソルがこの所与のリストから動かされたとき、所与のリストからの項目の選択は維持される手段と、
前記選択された機能の起動により、前記選択されたイベントに、前記選択された機能を施し、前記選択されたイベントの起動により、前記選択されたイベントに作用するための機能の更なるリストを表示する手段とを備えることを特徴とする装置。
【発明の詳細な説明】
【０００１】
【発明の属する技術分野】
本発明は、サービスデータの伝送を含むテレビジョン方式において番組を選択する方法に関する。本発明はまた、この方法を実行する装置及び番組ガイドのグラフィックインタフェースに関する。本発明は特に、ＤＶＢ（ディジタルビデオ放送）規格の枠組みの範囲におけるテレビ番組及びサービス情報の伝送の分野に適用される。
【０００２】
【従来の技術】
番組そのものと共に多重に伝送された番組の内容（「イベント」）についての情報の利用可能性は、番組ガイドの実施、即ちそれを通してユーザがこの情報にアクセスしうる文字及びグラフィックインタフェースを必要とする。
【０００３】
【発明が解決しようとする課題】
現在、コンピュータ化されたデータベースを利用するための多数のツールの例がある一方で、テレビジョンに適用されたそのようなツールはまれである。従って、テレビジョンに関する制約はかなり特殊であり、ユーザはスクリーンから比較的遠く、従ってスクリーン上の情報の減少した読みやすさを意味し、概してリモートコントロールといったグラフィカルエリア応用の枠組みの中ではマウスよりも柔軟性の少ない比較的簡単なブラウジングツールのみが使用可能である。
【０００４】
本発明は、上述の制約を特に考慮に入れた革新的な特徴を有する番組を選択する方法及び実施用の装置を提案することを目的とする。
【０００５】
【課題を解決するための手段】
本発明は、サービス情報の伝送を含むテレビジョン方式におけるイベント選択方法であって、
イベントを含む第１の一次元の項目リスト（３）を表示する段階と、
第１のリスト（３）と並行であり、イベントをフィルタリングする少なくとも１つの機能及び／又は該イベントに作用することが可能な少なくとも１つの機能含む第２の一次元の項目リスト（２）を表示する段階と、
夫々のリストから単一のいわゆる選択された項目を選び、他の項目は、単一のカーソルを該他の項目の上にただ配置することによりリストから選択可能であり、選択された項目は、該カーソルがこの選択された項目を含むリストから離されたときも選択されたままである段階とからなることを特徴とする方法を主題とする。
【０００６】
本発明によれば、ユーザに対して、メニューを通じたブラウジング「経路」のグラフィックな読み出しが与えられている。メニューは、機能又はイベントのリストを表示するよう編成されている。夫々のリストは、単一のカーソルを持つリストの最後の項目に対応するいわゆる選択された項目を有する。１つのリストから他のリストへ（例えばリストが垂直であればリモートコントロールの左／右キーによって）動くとき、ユーザが方向キー以外のキーを使用する必要なしに、項目は夫々のリストから選択されたままになる。特に、項目の選択に関しては、追加的な入力キーによってこの選択を確実にする必要はなく、この選択は、カーソルが他のリストへ移動したときに自動的に維持される。入力キーは、項目を作動するときにのみ使用される。
【０００７】
他の実施例によれば、グラフィックリンクは、２つの隣接するリストからの２つの選択された項目の間に表示される。
他の実施例によれば、出発リストから到着リストのカーソルの動きは、出発リストからの最も最近選択されたイベントに対するこのカーソルのデフォルトの位置決めをもたらす。
【０００８】
従って、リストの最も最近選択された項目は、先験的にユーザに対して最も大きな直接的な関心を与えるものであると仮定される。従って、このカーソルがこのリストへ動かされたとき、カーソルは自動的にリストの選択された項目の上に配置される。これは、場合次第でユーザによるこの項目の直接的な作動を可能にする。
【０００９】
他の実施例によれば、項目は入力キーによって作動される。
特定の実施例によれば、イベントに対して作用することが可能な機能が、この機能の作動の段階に続いてそれに対して作用するイベントは、第１のリストから選択されたイベントである。
以下に示される実施例によれば、２つのリストが表示されており、第１のリストは機能の、第２のリストはイベントのリストである。ユーザはイベントのリストからイベントを選択し、その次に、そこから選択し、次にそこから機能を作動するよう、カーソルを機能のリストまで動かす。この機能は、（「録画」機能又は「ディスプレイ補足情報」機能といった）イベントに対して直接作用しうる機能を含む場合は、先に選択されたイベントに対して適用される。イベントの作動は必要ではないため、このイベントに対する機能の適用は、ユーザ側ではより少ないアクションを必要とする。
【００１０】
本発明は、もちろん２つのリストに制限されるものではない。
異なる実施例によれば、イベントの作動の段階からなり、この作動は該イベントに対して作用することが可能な機能のメニューの表示をトリガする。
他の実施例によれば、イベントに対して作用することが可能な機能は、録画、ディスプレイ補足情報、ターンオン、読み出しリストへの記憶の機能のうちの１つ以上からなる。
【００１１】
他の実施例によれば、切り替え型の機能の作動中の状態はイベントの付近のアイコンの表示によって読み出される。
他の実施例によれば、切り替え型の機能のスクリーン上に表示されたラベルは、その状態の機能として変化する。
他の実施例によれば、作動中の状態である切り替え型の機能が関連づけられているイベントは、第３のリストに記憶される。
【００１２】
他の実施例によれば、その包括的名称を除いては、フィルタリング機能の値のみが表示される。
本発明はまた、サービス情報の伝送を含むテレビジョン方式における受信用の装置であって、
データストリームから、特にイベントに関する情報である、サービス情報を受信する手段と、
イベントを含む第１の一次元の項目リストと、第１のリストと並行であり、またイベントをフィルタリングする少なくとも１つの機能及び／又は該イベントに作用することが可能な少なくとも１つの機能を含む、第２の一次元の項目リストとを含み、番組ガイドを表示する手段と、
該カーソルを項目の上に配置することによる項目の選択肢のビューを伴う単一のカーソルによる制御手段であって、夫々のリストは単一のいわゆる選択された項目を含む手段と、
該カーソルがこの所与のリストから動かされたとき、所与のリストからの項目の選択は維持される、選択された項目のシグナリングを表示する手段とからなることを特徴とする装置を主題とする。
【００１３】
本発明はまた、サービス情報の伝送を含み、インタフェースはビューイングスクリーン上に表示されるテレビジョン方式用のグラフィカルインタフェースであって、第１の一次元の項目リストを表示するゾーンと、第１リストに並行であり、フィルタリングイベント及び／又は該イベントに対して作用することが可能な少なくとも１つの機能を含む第２の一次元の項目リストを含むグラフィックワークエリアからなり、該インタフェースは更に、方向キーによってそこにカーソルを配置するときに機能又はイベントを選択することが可能な単一のカーソルと、所与のリストからの項目の選択は、該カーソルがこの所与のリストから動かされた場合に維持されるような、夫々の項目リストからの単一の選択された項目のシグナリングを表示する手段とからなることを特徴とするグラフィカルインタフェースを主題とする。
【００１４】
様々な機能は、スクリーン上に表示されたメニュー又は、存在するのであればリモートコントロールの特定のキーのいずれかを通してアクセスされえ、従って、本発明による装置及び方法に対して多少複雑なリモートコントロールを適合することが可能である。
他の実施例によれば、リストは一次元であり、並行に配置されている。
【００１５】
他の実施例によれば、カーソルは対応する項目の近くに表示されたトークンによってグラフィックに象徴されている。
【００１６】
【発明の実施の形態】
本発明の他の特徴及び利点は、特定の非制限的な実施例の説明を通じて明らかとなる。添付の図面はこの実施例を示す。
本発明の本実施例による番組ガイドを実行するために使用されるリモートコントロールは、以下のキー、即ち、
−  ４つの方向キー（上、下、左、右）（「↑↓←→」）
−  入力キー（「ＯＫ」）
−  ガイドキー
−  メニューキー
−  情報キー（「情報」）
−  終了キー
−  番組のインクリメント及びディクリメント用の２つのキー、夫々Ｐ＋及びＰ−
−  ０乃至９のキーを含む数字パッド
を含む。
【００１７】
他の実施例によれば、リモートコントロールはまた、メニューのツリーの１つ上のレベルに戻ることを可能にするリターンキーを含む。
本実施例によれば、番組ガイドはＤＶＢ（「ディジタルビデオ放送」）ディジタルテレビジョン伝送環境で使用される。ＭＰＥＧIIシステム規格に関連するＤＶＢ規格は、伝送されうるいわゆる「情報サービス」データのフォーマットを定義する。番組ガイドに関するデータのパケット化及び多重化についての更なる詳細についてのこれらの文書に対して参照がなされても良い。
【００１８】
本実施例による番組ガイドに対する物理的な支持体は、本特許出願と同一の日に出願人によって製造され、販売されるようなＤＶＢディジタルデコーダである。本例に対して使用される文字発生器は、ＳＧＳトムソン社によって製造されるＳＴ３５２０回路である。
図６は、以下説明される番組ガイドを実行するデコーダのブロック図である。図６に関連して説明された項目は、請求されているような本発明を制限するものとして見なされるべきではない。
【００１９】
デコーダ１０は、テレビ周辺ソケット（ＳＣＡＲＴソケットとも称される）を通ってテレビ受像機１１に、同様にテレビ周辺ソケットを通ってビデオレコーダ１２に、そしてモデム２４を通って電話交換ネットワークに接続される。
デコーダは、アンテナ１４の周波数変換器に連結されたチューナ１３からなる。チューナ１３は復調器１５を通って誤り訂正回路１６へ接続される。誤り訂正回路１６の出力はディマルティプレクサ１７へ連結される。このディマルティプレクサは、その内容によって様々なデータパケットを分離し、それらをバッファメモリ１８を通じて当該の設備に対して伝送する。当該の設備は、それらの間にコネクタ２０に挿入されたマイクロチップカード１９、オーディオデコーダ２１、ビデオデコーダ２２及びテレテキスト管理回路２３からなるアクセス制御モジュールを含む。
【００２０】
アクセス制御モジュールはまた、全ての暗号化されたパケットが、バッファメモリ１８に記憶される前に通らねばならないディスクランブラ２５を含む。ディスクランブラは、ユーザのアクセス権によってディスクランブリングを許す又は許さない検定器回路２６によって管理されている。
デコーダはまた、リモートコントロール２９から信号を受信することが可能な赤外線インタフェース２８に連結されたマイクロプロセッサ２７からなる。マイクロプロセッサ２７はさらにメモリ３０及び文字発生器３１に連結されている。メモリ３０は上述の番組ガイドのマスタプロセスを管理するプログラム及びデータを含む。文字発生器からの出力はビデオデコーダの出力と多重化されている。多重化はマイクロプロセッサ２７によって制御されている。
【００２１】
マイクロプロセッサ２７はバッファメモリから（サービス情報としても知られる）ディマルティプレックスされたサービスデータを読み取る。これらのサービスデータは、上述の及びＤＶＢ規格の対応する部分で特定されたイベントの情報に対応する。
図１は、番組ガイドのスクリーンの編成を示す。座標の指摘は本発明の範囲を制限するものでないことは全く明白である。本実施例によれば、スクリーンは２６のライン及び５２の列を含み、座標（１，１）を有する文字はスクリーンの左上に配置される。
【００２２】
スクリーンは７つの別個のゾーンを含む。
終了ゾーン（ゾーン１）は、夫々の座標［（１；５）；（１；２４）］及び［（１；３）；（１１；４）］を有する矩形を占めるスクリーンの左の部分の境界をなす。第１の矩形はスクリーンの第１の列の大きい部分に対応する。第２の矩形は「終了」タグを含み、このゾーンを終了ゾーンとして明らかにする。２つの矩形は同じ背景色を有する。文字（１；４）及び（１；５）のレベルにおけるそれらの結びつきは、同じゾーンが含まれていることをユーザに対して明確に示す。
【００２３】
終了ゾーンの２つの矩形は図１にのみ示されている。他の図では、終了ゾーンは追加的な機能として第２のゾーン（制御ゾーン）に完全に組み入れられていると仮定される。
他の実施例によれば、スクリーンに表示されたメニューが「内容」メニューではないとき、「終了」タグは「戻る」タグによって置き換えられ、この機能の作動によってメニューのツリーにおいて１つ上位のレベルに戻ることを示す。
【００２４】
終了ゾーンは、一度作動されると、メインメニューにいるときは番組ガイドを抜けること、またはメニューのツリーにおいて１つ上位のレベルに戻ることを可能にする。
制御ゾーン（ゾーン２）は、終了ゾーンの右側に隣接する。これは座標［（２；５）；（１４；２４）］を有する矩形を占める。
【００２５】
本実施例によれば、制御ゾーンは、以下詳述される８つの制御機能を含む。これらの制御機能は２つのカテゴリー、即ちフィルタといったイベントサーチ機能及びイベントに作用する機能に分類されうる。
このゾーンの内側の制御機能の編成は垂直であり、スタックの形式である。リモートコントロールの横向きの矢印によって、一度カーソルがこのゾーンの中に配置されると、ユーザは「上」及び「下」キーによって機能を選択する。（カーソルと動かす方法及びスクリーン上のグラフィックエコーは、以下において説明される。）選択された機能は、ハイライトされて表示される。選択された機能を作動するために、ユーザはリモートコントロールの入力キーを押さねばならない。機能の作動の状態は、サブメニューを表示させる（メニューツリーにおいて１つ下位のレベルに降りる）こと、又はイベントサーチ機能の両側に配置されたスクロール矢印の色又は外見の変化によって読み出される。
【００２６】
制御ゾーン２の上に配置された終了ゾーン１の部分は９番目の機能を形成する。それは他の８つの機能のうちの１つと同様に選択されうる。終了ゾーンはまた、カーソルが制御ゾーンの中にあるときに、「左」キーを押すことにより選択されうる。望ましい他の実施例によれば、終了ゾーンは制御ゾーンの該９番目の機能によってのみ示される。
【００２７】
表示ゾーン（ゾーン３）は、スクリーンのより大きな部分、即ち座標［（１８；２）；（５２；２５）］を有する矩形を占める。この矩形はスクリーンの右側の境界をなす。これは、ゾーン２の制御機能によって定義又はフィルタリングされる本来のイベントのリストを含む。
表示ゾーンの上部の２つのラインは、ある条件下ではフィルタの値を表示するために残されうる。このゾーンの下部の８つのラインは、表示ゾーンの中央部分に表示されたイベントのうちの１つに関する補足情報を表示するために残される。
【００２８】
このゾーンの中央部分は、夫々のイベントが２つのラインを占めるイベントを７つまで表示しうる。スクリーン上のイベントの編成は垂直であり、制御ゾーンの制御機能を反映している。
制御ゾーンの機能に関して上述において参照された選択及び作動の概念は、表示ゾーン３に表示されたイベントに関してもまた有効である。
【００２９】
命令ゾーン２及び表示ゾーン３は、左から右へ水平に配置されていることが示される。カーソルは、リモートコントロールの「左」及び「右」キーによってこれらのゾーンの間を動かされる。２つのゾーンは同時に表示される。
本例によれば、終了ゾーンの部分もまた命令及び表示ゾーンと整列される。
読み出しゾーン（ゾーン４）は、矩形［（１８；１）；（５６；２）］を占める。これは表示されたメニュー又はサブメニューのタイトル又は日付及び現在の時間といった情報を含み、それにより、ユーザは様々なフィルタを使用しているときにメニューツリーの中で簡単に自分の位置を獲得しうる。
【００３０】
ヘルプゾーン（ゾーン５）は、スクリーンの最後のラインの全てを占める。使用可能な様々な機能の使用に関するヘルプが表示されるのはこのゾーンである。ヘルプは、表示されたヘルプメッセージはスクリーン上のカーソルの位置及びユーザのアクションに依存するという意味で、前後関係がある。
タイトルゾーン（ゾーン６）は、矩形［（１；１）；（１６；２）］を占める。表示されたタイトルは、現在使用されているアプリケーション、即ち本実施例によれば「テレビガイド」のタイトルである。
【００３１】
最後のゾーンである、ブラウジングリンクゾーン（ゾーン７）は、制御ゾーン２及び表示ゾーン３の間に挟まれている。グラフィックリンクを通じて、それは制御ゾーン側で選択された機能及び表示ゾーンから選択されたイベントの制御機能を示す。カーソルが２つのゾーンのうちの１つの中に無いとき、それが最後に配置された機能又はイベントは選択されたままである。
【００３２】
夫々のゾーンの動作及び役割は、様々な機能の説明と共に以下詳述される。
番組ガイドの中でのブラウジングは、機能又はイベントが、作動されているか、又は作動されていないかによって２つのレベルによって実行される。
「内容」メインメニューのスクリーンの中の動きに対応する第１のレベルのブラウジングは、機能又はイベントが何も作動されていないときに使用される。「左」及び「右」の方向矢印は、カーソルをゾーン１，２又は３のうちの１つへ動かすことを可能にする。「上」及び「下」の方向矢印は、カーソルが配置されているゾーンの内側の機能又はイベントを選択することを可能にする。選択された機能又はイベントは、ハイライトされて現れる。
【００３３】
この第１のレベルによるブラウジングは、従って本質的に４つの方向キーによって実行される。それらの間のゾーンの内容の垂直編成及びゾーンの水平編成は、単純で、非常にユーザフレンドリーなブラウジングの一因となる。
ブラウジングの第２のレベルは、機能又はイベントが作動されたときに使用され、これは概して、選択された機能又はイベントに関してリモートコントロールの「ＯＫ」キーを押すこと、または（例えば「より多くの情報」機能を作動させるための、「情報」キーといった機能特定キーのうちの１つを押すことによって実行される。
【００３４】
イベント又は機能を作動させている間、２つの場合、即ちサブメニューが表示されている、又はメニューは同じままであるがリモートコントロールのキーは一部分で他の機能を実行することのいずれかが起こりうる。例えば、フィルタの値のリストの水平スクロールは左右の矢印によって実行され、これに反して、これらの矢印はブラウジングの第１のゾーンにおいてはゾーンを変えるために作用する。
【００３５】
このレベルにおけるブラウジングの論理は、作動がサブメニューの表示をトリガする第１のレベルに非常に類似している。相違点は、対応するサブメニューが説明されるときに分かる。
図２は、ユーザがリモートコントロールの「ガイド」キーを押すことによって番組ガイドを実行するときにデフォルトで表示されるスクリーンを示す。
【００３６】
［内容メニュー］について。
制御ゾーン２に示されたメニューは「内容」メニューであり、これはメニューツリーの中の第１レベルのメニューである。
「内容」メニューは、８つの機能、即ち、チャンネル、曜日、時間帯、トピック、より多くの情報、好みのリスト、記憶されたリスト及び録画からなる。
【００３７】
このメニューは、イベントをサーチするために作用する全てのオプションからなり、それらは表示ゾーン３に表示される。一度所望のイベントが獲得されると、イベントの作動は、このイベントに対して作動する機能のアクセスを許可する。イベントに対して作動する、簡単に選択されるが作動されていない幾つかのしばしば使用される機能は、しかしながらイベントサーチ機能と同じレベルで使用可能にされる。
【００３８】
「内容」メニューの最初の４つの機能は、情報サーチ機能又はそうでなければフィルタである。概して、夫々のフィルタは、フィルタに関連するリストから値を選択することによってプログラミングされうる。フィルタをプログラミングするには、ユーザはフィルタを選択し、入力キーによってそれを作動し、「左」及び「右」キーによって様々な値をスクロールする。値の選択は、２回目の入力キーを押すこと、又は「上」又は「下」キーのうちの１つを押すことによって入力され、すぐ上又はすぐ下の機能が選択される。
【００３９】
機能に関連する様々な値をスクロールする可能性は、夫々のアクティブな値の周りに配置された左及び右のスクロール矢印によってグラフィックに読み出される。これらの矢印の色（又は変形によれば外見）は、機能が作動されると変化する。値のスクロールは、ループしている。
他の実施例によれば、フィルタリング機能の名称は表示されず、例えば「曜日」という用語はスクリーン上には全く現れない。その機能は、フィルタリングの値によって直接確認される。「月曜日」又は「日曜日」又はそうでなければ「マルチの曜日」という用語を見ると、機能はやはり簡単に確認される。
【００４０】
この方法は従って、スクリーンレベルにおける空間の節約を可能にする。特に文字の大きさを含む文字の読みやすさは、スクリーン上の大きすぎる密度を防止する。
［内容メニュー  −  「チャンネル」機能］について。
「チャンネル」サーチ機能は、チャンネルの名前又は番号によるフィルタリングを可能にする。これは番組ガイドが実行されたときにデフォルトで選択される機能である。デフォルト値は、「マルチチャンネル」値である。するとフィルタは適用されず、他の３つのフィルタに対応する全てのイベントは、チャンネルによって区別されることなく表示される。
【００４１】
夫々のチャンネルは、番号及びタイトルを有する。チャンネルは、昇順又は降順にスクロールされる。
この機能が作動されると、チャンネル番号のみを入力することによってチャンネルを選択しうる。
他の実施例によれば、ユーザによって押されたキーは、タイピングによる誤りを避けるため、スクリーン上のヘルプゾーンに表示される。
【００４２】
［内容メニュー  −  「曜日」機能］について。
「曜日」サーチ機能は、イベントのプログラミングの曜日によるフィルタリングを可能にする。このフィルタの動作は、「チャンネル」機能に関して説明されたものに非常によく類似している。
一週間の夫々の曜日に対応する７つの値が可能である。デフォルトによって表示される選択は現在の曜日である。
【００４３】
他の実施例によれば、曜日は、１が月曜日を示すような１乃至７の数字を与えることによって選択されうる。制限された数の値が与えられているため、この可能性はチャンネルに対するものよりも重要でない。それでも、熟練したユーザはこの変形を使用することによって時間を節約しうる。
［内容メニュー  −  「時間帯」機能］について。
【００４４】
「時間帯」サーチ機能は、時刻を特定することによって曜日ごとのサーチを細分することを可能にする。再び、値の水平スクロールが実行される。これらの値は数で言えば４つであり、即ち朝（６：００乃至１２：５９）、午後（１３：００乃至１９：５９）、晩（２０：００乃至２３：５９）、夜（０：００乃至５：５９）である。
【００４５】
デフォルトの時間帯は、現在の時間帯である。
［内容メニュー  −  「トピック」機能］について。
本実施例による最後のサーチ機能は、イベントのトピックに基づくフィルタである。デフォルト値は「マルチトピック」（トピックによるフィルタリングなし）である。他の値は、映画、情報、スポーツ、若者向け、音楽、音楽、芸術及び文化、そして最後にショーである。
【００４６】
イベントのトピックがその放送会社によって定義されていない場合、又はこのトピックがどのカテゴリーにも当てはまらない場合、「マルチトピック」の値が選択されたときにのみ現れる。
変形によれば、特別な「分類されていない」というカテゴリーは、所定のカテゴリーのどれにも当てはまらない全てのイベントをフィルタリングすることを可能にする。
【００４７】
フィルタの値が修正され、入力されると、表示ゾーンは可能な限り迅速に更新される。
本発明は、上記において明示的に参照された４つのサーチ機能の使用に制限されないことは全く明白であり、より多い（又は少ない）数のサーチ機能が使用されうる。しかしながら、サーチ機能の数は、使用の簡単さを害するまで増加されてはならない。
【００４８】
［内容メニュー  −  「好みのリスト」サブメニュー］について。
「好みのリスト」機能もまたサーチ機能であるが、これを作動することは、上述の４つの機能の場合と違い、図３によって示されるサブメニュー（メニューツリーの第２のレベル）へのアクセスを許可する。
この機能は、異なるユーザ又は異なる関心に関連するフィルタを定義し、適用することを可能にする。
【００４９】
サブメニューは、所定のフィルタの形式で幾つかの数の「リスト」と同様２つのオプション（「なし」及び「セットアップ」）を含む。オプション及びリストは、内容メニューと同様の方法で垂直に編成されている。終了ゾーンは上述と同じ形式を取る。
上述の方法のうちの１つで終了ゾーンを作動することは、フィルタの値を修正することなしに内容メニューへ戻ることを可能にする。
【００５０】
このサブメニューが開かれたときにデフォルトによって選択されるオプションである「なし」のオプションの作動は、図２の内容メニューへ戻ることを可能にし、このメニューの４つのフィルタは、それらのデフォルト状態にリセットされている。内容メニューへ逆戻りすると同時に、「好みのリスト」機能はデフォルトによって選択される。
【００５１】
リスト（図３の「ＴＡＴＡ」「ＮＩＣＯＬＡＳ」「ＰＡＰＹ」「ＳＰＯＲＴ  ＣＩＮＥ」）のうちの１つの作動もまた内容メニューへ戻ることを可能にし、フィルタはこれらのリストによって定義されるようにプログラミングされている。「セットアップ」オプションの作動は、リスト作成メニュー（メニューツリーの第３のレベル）へのアクセスを許可する。このリスト作成メニューは図示されていない。これは最初の４つのフィルタの夫々に対応する値を選択し、リストの名前をこの選択と関連づけることを可能にする。本実施例の変形によれば、内容メニューの場合とは違い、例えば幾つかのトピック、サブトピック又は幾つかのチャンネルといった幾つかの値を組み合わせることが可能である。
【００５２】
［イベントの表示］について。
「内容」メニュー（図２）の制御ゾーンの他の機能を詳細に見る前に、表示ゾーン３の動作を説明する。従って、上述のように、他の機能は表示ゾーンに表示されたイベントに対して作用することを可能にする。あまりしばしば使用されず、イベントそのものによって達成されうる機能は、直後に扱われる。
【００５３】
以下のことはまだ図２を参照する。
最初の２つのラインがフィルタの値の２倍の高さの表示によって占められているならば、表示ゾーン３は６つのイベントを含む。そうでなければ、７つのイベントが表示される。
フィルタの値は、サブメニューのうちの１つから内容メニューへ逆戻りするとき、又は番組ガイドがユーザによって作動されたとき、値のうちの１つを修正すると同時に表示される。後者の場合、表示されるものは、現在の曜日及び時間帯である。
【００５４】
「マルチチャンネル」及び「マルチトピック」の値が選択された場合、上記のものは表示されない。
他の実施例によれば、フィルタリングのために好みのリストが使用された場合、リストの識別子（名前又はアイコン）が表示される。
３５文字の２つのラインは、夫々のイベントに対して印が付けられている。
【００５５】
第１のラインの最初の５つの文字は、イベントの開始時間を示す。その後にスペースが続き、さらに２９の文字の上にタイトルが続く。タイトルが２７文字を超えれば、それは切り捨てられ、２９番目及び３０番目の文字は２つの点によって置き換えられる。
第２のラインはチャンネル番号、チャンネル名、イベントの日付、そして他の実施例によれば、「記憶」アイコン、「現在のイベント」アイコン、「録画」アイコン、「ターンオン」アイコン、「トピック」アイコン、「支払いイベント」アイコン及び「購入されたイベント」アイコンのうちの１つ以上のアイコンを含む。
【００５６】
「記憶」アイコンは、イベントが以前ユーザによって記憶リスト（以下を見よ）の中に現れるように選択されたかどうかを示す。
「現在のイベント」アイコンは、現在開始しているイベントを識別する。
「録画」アイコンは、例えばビデオレコーダによるこのイベントの録画が、ユーザによって前もってプログラミングされていることを示す。
【００５７】
「ターンオン」アイコンは、このイベントが「ターンオン」オプション（以下を見よ）の下でユーザによって選択されたことを示す。
特定のトピックがある数だけ多くの種類がある「ターンオン」アイコンは、イベントのトピックを示す。
「支払いイベント」アイコンは、あらかじめ料金が支払われなければならないイベントであることを示す。
【００５８】
「購入されたイベント」アイコンは、料金の支払いの場合に「支払いイベント」アイコンを置き換える。
アイコンの使用は、ユーザに対してイベントに関する情報を提供するために必要とされる文字数を減少させることを可能にする。
他の実施例によれば、現在のイベントは特別なアイコンによって確認される。
【００５９】
６つ（または７つ）以上の表示されるべきイベントがある場合、表示ゾーンの中央部分の左下に配置された下向きの指示矢印は、リストのスクロールが可能であることを示す。このスクロールは、ゾーンの最後のイベントが選択されたときに、リモートコントロールの「下」キーを押すことによって実行される。同様に、逆のスクロールが実行される。
【００６０】
本実施例によれば、イベントは年代順に一覧にされている。
表示ゾーンの最後の８つのラインは更に、デフォルトによればリストの第１のイベントである、選択されたイベントに関する以下の情報、即ち、
−  （プレーンテキストの）トピック
−  （上述の変形による）「トピック」アイコン
−  （２５６文字の）イベントの要約
を含む。
【００６１】
イベントに作用し、「内容」メニューの後に使用可能な３つの機能は、「より多くの情報」、「記憶されたリスト」及び「録画」である。
［内容メニュー  −  「より多くの情報」サブメニュー］について。
「より多くの情報」機能は、リモートコントロールの「情報」キーを押すこと、又は（入力キーによって）イベントを作動すること、又は「内容」メニューから同じ名前の機能を呼び起こすことのいずれかによって作動される。
【００６２】
対応するメニューは、図４に示されるスクリーンによって示されている。ゾーンの配置は、再び図１の配置と全く同じであり、制御メニューはゾーン２に現れ、一方で情報それ自体は表示ゾーン３に表示されている。
この状況では表示ゾーン３は、既に「内容」メニューレベルで示された３つのラインの情報を読み出すゾーンからなる。このサブメニューのレベルにおいて使用可能な空間がより大きいことが所与であれば、タイトルのために追加的なラインが設けられていることが示される。プレゼンスはまた上述のアイコン、即ち記録は目のアイコン、録画はカセットのアイコン、記憶はフックのアイコンそしてターンオンは時計のアイコンによって示される。
【００６３】
表示ゾーンの残る部分は、イベントの要約と共に、以下の情報、即ち終了時間、持続時間、選択されたオーディオ言語、場合次第では字幕の言語、完全なトピック、サブトピック、イベントが向けられている視聴者（成人、青年、子供、全員等）からなる。
最後のラインは、情報を表示するのに幾つかのページが要求されていれば、ページ番号、そして特にイベントの要約を示す。
【００６４】
このサブメニューでは、表示ゾーンは単に情報を示すために使用される。これらの項目のうちのどれもが機能又はイベントではないため、そこから選択すること、又はそこへ情報項目を作動することは可能ではない。
表示されたイベントに作用するための全ての機能は、中央ゾーンにおいて共にまとめられる。それらは「内容」メニューの機能と同様の方法で処理される。
【００６５】
「言語」機能は、オーディオ言語又は字幕を選択するための追加的なサブメニューへのアクセスを許可する。このサブメニューは図示されていない。
最後に、「情報」機能は、表示スクリーン上で使用可能な様々なページをスクロールすることを可能にする。このスクロールは、リモートコントロールの「Ｐ＋」及び「Ｐ−」キーによっても実行されうる。
【００６６】
夫々がその前にその関連するアイコンを有する「記憶」、「録画」及び「ターンオン」機能は、その状態が表示ゾーンのアイコンによって反映される単なる切り替え機能である。
「購入」機能は、その料金が支払われていない支払いイベントに対して現れる。
【００６７】
「記憶」機能は、テレビジョンセットがオンのとき、ユーザに対してイベントの開始を予告することを可能にする。記憶されたイベントが開始すると、５分の持続期間の間、ユーザが見ている番組の上に重なって、対応するアイコンがスクリーン上に現れる。除去制御のいずれかのキーの作動は、アイコンを消えさせる。
【００６８】
「録画」機能は、イベントの録画をプログラミングする。
「ターンオン」機能は、当該のイベントが開始したときに、テレビジョンセットをオンにすることを可能にする。「ターンオン」機能は、選択されたイベントが進行中であれば、現れない。
ユーザを気づかせるために録画又はプログラミングされるよう意図された記憶されたイベントは、記憶されたイベントのリスト（以下を見よ）の中に現れる。一度イベントが終わると、このイベントはリストから削除される。
【００６９】
イベントが現在のイベントであれば、「記憶」機能は、作動されると、選択された番組の映写に直接逆戻りする「見る」機能によって置き換えられる。
他の実施例によれば、記憶されたイベントの開始を読み出すアイコンは、現在のイベントが録画されていれば現れない。
他の実施例によれば、切り替え機能の名称は、上述の状態に応じて変化する。例えば、イベントが記憶されたときは、「記憶」機能は、「取り消し」になる。
【００７０】
［内容メニュー  −  「記憶されたリスト」サブメニュー］について。
「記憶されたリスト」機能は、「内容」メニューから作動される。対応するサブメニューは図５によって示される。サブメニューの名前は、読み出しゾーン４に示された前のサブメニューの夫々と同じである。
これとは別に、このサブメニューの編成は、「内容」メニューの編成と厳密に全く同じである。制御ゾーンの機能のみが変化する。表示ゾーンは、他のメニューの「記憶」、「録画」、「購入」又は「ターンオン」のうちの少なくとも１つによって前もって選択されたイベントのみを含む。
【００７１】
変形によれば、制御ゾーンの機能の名称は、表１によって定義されるように夫々のイベントのレベルにおいてこれらの機能の切り替えの状態によって変化する。
【００７２】
【表１】
0004497564.tif 000002
【００７３】
「内容」メニューで既に示されている「より多くの情報」機能は、「記憶されたリスト」サブメニューでも使用可能であり、それによりユーザはメニューツリーを上がって戻る必要なしに、全ての必要な情報を自由に使用する一方でイベントを除去する決定をしうる。
［内容メニュー  −  録画機能］について。
【００７４】
既に「より多くの情報」の枠組みの中で示されているこの機能は、本実施例によれば、「内容」メニューレベルにおいて直接使用可能である。これは実際最もよく使用された機能のうちの１つである。ユーザに効果のない処理を節約させるため、イベントに作用するそのような機能はこのレベルでアクセスされうる。
他の実施例によれば、「録画」、「ターンオン」、「記憶」のうちの１つ以上の機能は、「内容」メニューから直接使用可能である。この直接的なアクセスは、制御ゾーンがこれらの追加的な機能を収容しうるときにのみ許されうる。
【００７５】
［ブラウジングリンクゾーン］について。
ブラウジングリンクゾーン７は、制御ゾーン２及び表示ゾーン３の間に配置されている。その説明に続くものが特に「内容」メニュー（図２）と結びつけられているにも拘わらず、このゾーンは、イベントのリストが機能のリストの反対側に置かれるたびに全く同じ方法で使用される。
【００７６】
このゾーンの有用性は、本実施例の場合がそうであるように、２つの隣接するゾーンが垂直に配置されたゾーンを含むとき、特に明白である。
図２に戻ると、制御ゾーンの選択された機能と、表示ゾーンの選択されたイベントとの間に、破線８の形式で、グラフィックリンクがあることが分かる。
ブラウジングの第１のレベルでは、「左」及び「右」の方向矢印は、制御ゾーンから表示ゾーンへ、またその逆に動くことを可能にし、それに反して「上」及び「下」の方向矢印は、機能又はイベントを選択することを可能にする。選択された機能及びイベントを連結するグラフィックリンクは、どのイベント又はどの機能のレベルで夫々のゾーンが入力されたかを示す。グラフィックリンクはまた、この機能がイベントに作用する場合に、機能が適用されるイベントを示す。ユーザは制御ゾーン及び表示ゾーンの間を行き来することができ、所与のゾーンで項目を選択し、両方のゾーンは同時に表示されているため、一方で常に他のゾーンの中の選択された項目に注意していることができる。
【００７７】
本例の枠組みの中で、選択されたイベント及び機能は、その色又は輝度を変更することにより他の項目から既にグラフィックに区別されている。グラフィックリンク機能は、従ってこの特定の場合は余分である。他の実施例によれば、ブラウジングリンクゾーン７のグラフィックリンクは、選択された機能／選択されたイベントを示すために単独で使用される。
【００７８】
このグラフィックリンクが２つ以上の隣接するゾーンに一般化されうることは、全く明白である。グラフィックリンクは、表示ゾーンに対するブラウジングが可能でないスクリーンに対しては消滅する。これは、例えばフィルタがアクティブされた場合である。
従って、選択されたイベント及び同時に、選択された機能は常に存在する。この場合、ユーザによって操作されるカーソルが所与の時間に、制御又は表示の２つのゾーンのうちのどちらにあるかを決定できることが再び必要である。
【００７９】
本例の枠組みの中で、この区別機能は、１つ又は他の選択された項目にグラフィックに割り当てられた「トークン」９によって果たされる。図２の場合は、トークンは「チャンネル」機能に対して割り当てられている。本実施例によれば、ブラウジングリンクゾーンの中で、トークンは機能又はイベントのそばに配置される。
【００８０】
本実施例の変形によれば、ハイライトの２つの異なるレベルは、一方では選択されたイベント及び機能を他のイベント及び機能から区別し、また２つの選択された項目から作動された項目を区別するために使用される。
より一般的には、項目（機能又はイベント）は、夫々の表示ゾーンの中で選択されうる。追加的なグラフィック項目は、カーソルがその上に置かれているこれらの選択された項目のうち、この瞬間にリモートコントロールの入力キーが押されると作動される項目を確認する。
【００８１】
本実施例によれば、このグラフィック項目は、選択された項目のうちの１つに付加されたグラフィックシンボルであり、他の実施例によれば、この項目の色、書体又は輝度を変化させることによって区別される。
他の実施例によれば、フィルタの値の変更に続いて表示されたイベントに変化が起きると、デフォルトで選択される項目は年代順の第１のイベントであり、次にチャンネルの順序である。
【００８２】
本実施例によれば、フィルタリング機能及びイベントに対して作用する機能（情報機能、アクションをプログラミングするための機能）は、メインメニューの同じリストの中に現れ、それらの性質による、機能の幾つかのリストへの分割は除外されていない。例えば、フィルタリング機能のリスト、それに続くイベントに対して作用する機能のリスト、それに続くイベントそれ自体のリストというように、２つ以上のリストは並行に配置されうる。
【００８３】
更に、上述の実施例によれば、サービスデータはディジタル多重から抽出されているが、本発明はそのような伝送の形式に制限されない。例えば、該データによって（特にフレーム帰線間隔のラインに関して）適当に変調されたアナログテレビ信号によるサービスデータの伝送は、本発明の適用において予想される他の形式である。
【図面の簡単な説明】
【図１】本実施例による番組ガイドを表示しているテレビジョンスクリーンの様々なゾーンを図式的に示す図である。
【図２】ユーザが番組ガイド（メインメニュー又は「内容」メニュー）を作動したときに現れるような図１のスクリーンを示す図である。
【図３】メインメニューの第１のサブメニュー（望ましいリスト機能）に対応するスクリーンの外見を図式的に示す図である。
【図４】メインメニューの第２のサブメニュー（「追加的な情報」機能）に対応するスクリーンの外見を図式的に示す図である。
【図５】メインメニューの第３のサブメニュー（「記憶されたリスト」機能）に対応するスクリーンの外見を図式的に示す図である。
【図６】本実施例によるデコーダのブロック図を示す図である。
【符号の説明】
１  終了ゾーン
２  制御ゾーン
３  表示ゾーン
４  読み出しゾーン
５  ヘルプゾーン
６  タイトルゾーン
７  ブラウジングリンクゾーン
８  グラフィックリンク
９  トークン
１０  デコーダ
１１  テレビジョン受像機
１２  ビデオレコーダ
１３  チューナ
１４  アンテナ
１５  復調器
１６  誤り訂正回路
１７  ディマルティプレクサ
１８  バッファメモリ
１９  マイクロチップカード
２０  コネクタ
２１  オーディオデコーダ
２２  ビデオデコーダ
２３  テレテキスト管理回路
２４  モデム
２５  ディスクランブラ
２６  検定器回路
２７  マイクロプロセッサ
２８  赤外線インタフェース
２９  リモートコントロール
３０  メモリ
３１  文字発生器
【図１】
0004497564.tif 000003
【図２】
0004497564.tif 000004
【図３】
0004497564.tif 000005
【図４】
0004497564.tif 000006
【図５】
0004497564.tif 000007
【図６】
0004497564.tif 000008